(57)【特許請求の範囲】
【請求項１】
物品の収納空間として下方に開口するカップ部の周囲に鍔状に突出するフランジ部が一体的に形成されてなる樹脂製の容器部が台紙のおもて面側に位置決めされた状態で接着されてなるブリスターパックを構成する前記台紙であって、
紙媒体からなる台紙本体に上方に向かって、インクによる図案が形成された印刷層と熱可塑性接着剤を塗布してなる接着層とがこの順に積層されてなり、
前記カップ部の平面領域に対応する領域に硬化したＵＶニスからなるＵＶニス層が選択的に形成されて当該ＵＶニス層が前記台紙の上面側に露出している、
ことを特徴とするブリスターパック用台紙。
【請求項２】
請求項１において、前記ＵＶニス層の形成領域には前記接着層が形成されていないことを特徴とするブリスターパック用台紙。
【請求項３】
請求項２において、前記印刷層が硬化したＵＶインクによって形成されていることを特徴とするブリスターパック用台紙。
【請求項４】
請求項１〜３のいずれかに記載の前記台紙の上面と前記容器部の前記フランジ部の下面とが接着されてなるブリスターパック。
【請求項５】
請求項２に記載のブリスターパック用台紙の製造方法であって、
紙媒体からなる台紙本体上に前記印刷層を形成するステップと、
前記印刷層上に前記ＵＶニスを前記容器部における前記カップ部に対応する領域に塗布するとともに紫外線を照射して当該ＵＶニスを硬化させて前記ＵＶニス層を形成するステップと、
前記容器部の前記フランジ部に対応する領域を含み、かつ前記ＵＶニス層の形成領域を含まない領域に熱可塑性接着剤を塗布するステップと、
を実行することを特徴とするブリスターパック用台紙の製造方法。
【請求項６】
請求項３に記載の前記ブリスターパック用台紙の製造方法であって、
複数色分のＵＶインクによる多色印刷が可能な印刷装置に前記複数色の１色分として前記ＵＶニスを用い、
紙媒体からなる台紙本体上に前記印刷装置により図案を印刷するステップと、
前記印刷した図案上に前記印刷装置により前記ＵＶニスを前記容器部における前記カップ部に対応する領域をべた塗り印刷するステップと、
前記紙媒体の上面から紫外線を照射して前記ＵＶインクと前記ＵＶニスを硬化させて前記印刷層と前記ＵＶニス層を同時に形成するステップと、
前記容器部の前記フランジ部に対応する領域を含み、かつ前記ＵＶニス層の形成領域を含まない領域に熱可塑性接着剤を塗布するステップと、
を実行することを特徴とするブリスターパック用台紙の製造方法。
【発明の詳細な説明】
【技術分野】
【０００１】
本発明はブリスターパック用の台紙とその台紙を備えたブリスターパック、およびブリスターパックの製造方法に関する。
【背景技術】
【０００２】
商品などの内容物を外部から確認可能にして陳列するためのパッケージとしてブリスターパックがある。図１はブリスターパックの一例を示す図であり、ここでは物品３０として円筒形電池が収納されたブリスターパック１を示した。図１（Ａ）はブリスターパックの外観図であり、図１（Ｂ）はブリスターパック１の縦断面図であり、図１（Ａ）におけるａ−ａ矢視断面に対応している。図１（Ａ）に示したように、ブリスターパック１は厚紙などからなる台紙１０のおもて面１１に収納物の形状に成形された内部空間を有するカップ状の透明樹脂からなる容器部２０が接着された構造を有している。そして台紙１０のおもて面１１側には印刷によって商品説明や意匠などの加飾１２が施されている。
【０００３】
具体的には容器部２０は台紙１０の一主面（以下、おもて面１１、あるいは上面１１とも言う）側に開口して物品の収納空間となるカップ部２１と、そのカップ部２１の周囲に形成されたフランジ部２２とから構成されている。台紙１０は図１（Ｂ）に示したように、裏面１３側に無地の厚紙などからなる台紙本体１４が配置されて、その台紙本体１４の上面に加飾１２を施すための印刷層１５が形成され、その印刷層１５上に熱可塑性接着剤を塗布してなる接着層１６が形成された積層構造を有する。そしてこのようなブリスターパック１の製造手順としては、台紙１０のおもて面１１に物品３０が収納された状態の容器部２０を配置し、台紙１０の裏面１３全面に加熱した金属ブロックを押し当てるなどして台紙１０の接着層１６を溶かす。そして加熱後に冷却して接着剤が固化すると、台紙１０のおもて面１１とフランジ部２２の裏面２３とが接着される。なお台紙上に容器部を接着させてなるブリスターパックについては以下の特許文献１などに記載されている。
【先行技術文献】
【特許文献】
【０００４】
【特許文献１】特開２０００−００７０２５号公報
【発明の概要】
【発明が解決しようとする課題】
【０００５】
上述したようにブリスターパックの容器部はそのフランジ部が台紙に熱圧着されている。しかし従来のブリスターパック用の台紙では、その圧着に際して印刷層を構成するインクが熱溶解した接着剤に溶融してしまい、その接着剤が物品に転写されて印刷層の一部が剥離してしまうという問題がある。台紙において容器部のフランジ部と接触する領域にのみ接着剤を選択的に塗布した場合であっても、熱によって溶解したインクが物品に転写され、商品である物品をインクで汚染してしまう。とくに物品が乾電池などの金属からなるものである場合、熱伝導率が高いため、熱圧着に際しての加熱時間がたとえ瞬時であっても、その熱で物品の温度もすぐに上昇し、加熱を停止した後も物品近傍の接着剤やインクが急速に固化せずに、物品に付着する時間を与えてしまう。
【０００６】
そこで本発明は、熱圧着によって接着剤や加飾のためのインクが物品に付着することがないブリスターパック用の台紙を提供することを目的とする。また当該台紙を備えたブリスターパックとその製造方法を提供することも目的とする。
【課題を解決するための手段】
【０００７】
上記目的を達成するための本発明は、物品の収納空間として下方に開口するカップ部の周囲に鍔状に突出するフランジ部が一体的に形成されてなる樹脂製の容器部が台紙のおもて面側に位置決めされた状態で接着されてなるブリスターパックを構成する前記台紙であって、
紙媒体からなる台紙本体に上方に向かって、インクによる図案が形成された印刷層と熱可塑性接着剤を塗布してなる接着層とがこの順に積層されてなり、
前記カップ部の平面領域に対応する領域に硬化したＵＶニスからなるＵＶニス層が選択的に形成されて当該ＵＶニス層が前記台紙の上面側に露出している、
ことを特徴とするブリスターパックとしている。
【０００８】
また前記ＵＶニス層の形成領域には前記接着層が形成されていないことを特徴とするブリスターパック用台紙とすることもできる。さらに前記印刷層が硬化したＵＶインクによって形成されているブリスターパック用台紙としてもよい。
【０００９】
上記いずれかに記載の前記台紙の上面と前記容器部の前記フランジ部の下面とが接着されてなるブリスターパックも本発明の範囲である。さらに本発明はブリスターパック用台紙の製造方法にも及んでおり、当該製造方法の発明は、紙媒体からなる台紙本体上に前記印刷層を形成するステップと、
前記印刷層上に前記ＵＶニスを前記容器部における前記カップ部に対応する領域に塗布するとともに紫外線を照射して当該ＵＶニスを硬化させて前記ＵＶニス層を形成するステップと、
前記容器部の前記フランジ部に対応する領域を含み、かつ前記ＵＶニス層の形成領域を含まない領域に熱可塑性接着剤を塗布するステップと、
を実行することを特徴としている。
【００１０】
あるいは、複数色分のＵＶインクによる多色印刷が可能な印刷装置に前記複数色の１色分として前記ＵＶニスを用い、
紙媒体からなる台紙本体上に前記印刷装置により図案を印刷するステップと、
前記印刷した図案上に前記印刷装置により前記ＵＶニスを前記容器部における前記カップ部に対応する領域をべた塗り印刷するステップと、
前記紙媒体の上面から紫外線を照射して前記ＵＶインクと前記ＵＶニスを硬化させて前記印刷層と前記ＵＶニス層を同時に形成するステップと、
前記容器部の前記フランジ部に対応する領域を含み、かつ前記ＵＶニス層の形成領域を含まない領域に熱可塑性接着剤を塗布するステップと、
を実行することを特徴とするブリスター台紙の製造方法とすることもできる。
【発明の効果】
【００１１】
本発明のブリスターパック用台紙およびその製造方法によれば、容器部を当該台紙に熱圧着する際に接着剤や加飾のためのインクが容器部内の物品に付着することを防止できる。なおその他の効果については以下の記載で明らかにする。
【図面の簡単な説明】
【００１２】
【図１】一般的なブリスターパックにおける台紙の構造を示す図である。
【図２】本発明の第１の実施例に係るブリスターパック用台紙の構造を示す図である。
【図３】本発明の第２の実施例に係るブリスターパック用台紙の構造を示す図である。
【図４】ブリスターパック用台紙に容器部を熱圧着する手順の概略を示す図である。
【図５】上記第１および第２の実施例に対する性能比較対象として作製したサンプルのブリスターパック用台紙の構造を示す図である。
【発明を実施するための形態】
【００１３】
本発明の実施例について、以下に添付図面を参照しつつ説明する。なお以下の説明に用いた図面において、同一または類似の部分に同一の符号を付して重複する説明を省略することがある。ある図面において符号を付した部分について、不要であれば他の図面ではその部分に符号を付さない場合もある。
【００１４】
＝＝＝実施例＝＝＝
本発明の実施例として円筒形電池を物品として収納したブリスターパック用の台紙を挙げる。本発明の実施例に係るブリスターパック用台紙を用いたブリスターパックの基本的な構造は図１に示したものと同じであり、その製造手順も同様である。しかし台紙の構造に特徴を有して台紙に塗布された接着剤や印刷層を構成するインクが電池に付着するのを防止することができるようになっている。概略的にはブリスターパックにおいて容器部が占める平面領域のうち接着に寄与しないカップ部に対応する平面領域にＵＶ硬化型のニス、所謂「ＵＶニス」が塗布されている。そして本発明の実施例には、台紙における積層構造に応じて大きく二つの実施例に区別することができる。
【００１５】
＜第１の実施例＞
図２は本発明の第１の実施例に係るブリスターパック用台紙（以下、台紙１０ａとも言う）を用いたブリスターパック１ａを示しており、この図２では、図１（Ｂ）と同様にブリスターパック１ａの縦断面図を示している。当該図２に示したように第１の実施例に係る台紙１０ａは厚紙からなる台紙本体１４上に例えば水性インキを用いたフレキソ印刷などによって形成された印刷層１５と、その印刷層１５上に接着層１６が形成されている。そしてこの台紙１０ａのおもて面１１側において、容器部２０のカップ部２１の平面領域に対応する領域に、ＵＶ硬化型のニス（例えば、ＤＩＣグラフィクス株式会社製、ダイキュア  セプター  DT  OPニス  HB）がフレキソ印刷などの方法によって選択的に塗布された後、紫外線が照射されて硬化されてなるＵＶニス層１７が形成されている。
【００１６】
＜第２の実施例＞
図３は本発明の第２の実施例に係るブリスターパック用台紙（以下、台紙１０ｂとも言う）の構造を示す図である。ここでも台紙１０ｂに容器部２０が接着されたブリスターパック１ｂの状態で示している。そして図３（Ａ）は第２の実施例に係る台紙１０ｂを用いたブリスターパック１ｂを上方から見たときの平面図である。図３（Ｂ）は当該ブリスターパック１ｂの縦断面図であり、図３（Ａ）におけるｂ−ｂ矢視断面に対応している。なお図３（Ａ）の平面図でも図３（Ｂ）の縦断面図と同様に台紙１０ｂにおける積層構造を構成する各層を異なる種類のハッチングによって示した。第２の実施例に係る台紙１０ｂでは、その平面領域において接着層１６とＵＶニス層１７がともに重複しないように選択的に形成されている。具体的には台紙本体１４上に印刷層１５が形成され、その印刷層１５上に接着層１６とＵＶニス層１７が形成され、さらにＵＶニス層１７が容器部２０のカップ部２１の平面領域に対応する領域にのみ選択的に形成されているという点では第１の実施例と同様である。しかし第２の実施例では、カップ部２１に対応する平面領域には接着層１６が形成されていない。なお図３に示した例では接着層１６が容器部２０のフランジ部２２に対応する領域にのみ形成されているが、フランジ部２２に対応する領域を含み、かつカップ部２１に対応する領域を含まなければよく、例えばカップ部２１に対応する領域にのみ接着層１６が形成されてなくてもよい。
【００１７】
＝＝＝試験＝＝＝
上記の第１および第２の実施例に係る台紙（１０ａ、１０ｂ）に対し、物品３０が収納された状態の容器部２０を熱圧着する試験を行い、物品３０へのインクや接着剤の付着状態や台紙（１０ａ、１０ｂ）に対する容器部２０の接着強度などの信頼性を評価した。
【００１８】
＜試験方法＞
具体的な試験方法については、円筒形電池が収納された市販品のブリスターパックと同じ製造ラインを用い、台紙の構造のみが異なる各種ブリスターパックをサンプルとして作製した。概略的には、図４に示したように、各サンプルに応じた台紙１０上に電池３０が収納された容器部２０を位置決めした状態で載置し、下方から加熱したブロック状の治具５０を台紙１０の裏面１３全面に当接させつつ、例えばフランジ部２２の平面形状に沿う枠状の治具５１などを用いて当該フランジ部２２を上方から押圧することでフランジ部２２の裏面２３と台紙１０のおもて面１１とを熱圧着する。なお台紙の構造が異なる各種サンプルとして、それぞれについて複数個の個体（例えば、１０個）を作製し、全個体に対して上記の信頼性について評価した。
【００１９】
図５にサンプルとして作製した各種ブリスターパックを示した。この図５では本発明の実施例に対応する図２に示したブリスターパック１ａ（以下、サンプルａとも言う）、および図３に示したブリスターパック１ｂ（サンプルｂとも言う）に対して信頼性を比較するためのサンプルを示しており、図５（Ａ）に示したブリスターパック１ｃ（以下、サンプルｃとも言う）は、ＵＶニス層１７がなく、台紙本体１４上に印刷層１５と接着層１６が容器部２０の平面領域を全て包含する領域（以下、全面と言う）に形成されている台紙１０ｃを用いており、図５（Ｂ）に示したブリスターパック１ｄ（以下、サンプルｄとも言う）は、ＵＶニス層１７がなく、印刷層１５上に接着層１６がカップ部２１に対応する領域を含まないように選択的に形成された台紙１０ｄを用いている。すなわち容器部２０のカップ部２１に対応する領域では印刷層１５が最上層となっている。そしてサンプルｃ、ｄが従来のブリスターパックに対応している。図４（Ｃ）は印刷層１５上に接着層１６とＵＶニス層１７をこの順に全面に形成した台紙１０ｅを用いたブリスターパック１ｅ（以下、サンプルｅとも言う）である。図４（Ｄ）に示したブリスターパック１ｆ（以下、サンプルｆとも言う）は印刷層１５上にカップ部２１の領域にのみＵＶニス層１７が形成され、そのＵＶニス層１７上に接着層１６が全面に形成されている。図４（Ｅ）に示したブリスターパック１ｇ（以下、サンプルｇとも言う）は台紙本体１４上に印刷層１５と接着層１６が順に形成され、その接着層１６の上に周知かつ一般的な水性ＯＰ（Over Print）ニスからなるＯＰニス層１８がカップ部２１の領域にのみ形成されている。
【００２０】
＜試験結果＞
以下の表１に作製した各サンプルａ〜ｆについての試験結果を示した。
【００２１】
【表１】
0006568695.tif 000002
表１における「構造」の欄における「最上層」では、カップ部の領域において台紙の上面に露出している層を示しており、「接着層」および「ニス層」ではカップ部の領域にのみ形成されている場合を「選択形成」としている。「全面」については上述したとおり容器部の平面領域の全てを包含して形成されていることを示している。そして試験結果の「付着」とは接着剤や印刷層のインクが電池に付着した個体の有無を示すものであり、「接着不良」とは台紙に接着されている容器部を手で引っ張るだけの動作で台紙から容器部の全部あるいは一部が剥がれてしまった個体の有無を示すものである。
【００２２】
そして表１に示したように、最上層にＵＶニス層がないサンプルｃ、ｄ、ｆ、ｇでは接着剤やインクが電池に付着した。とくにサンプルｇでは最上層にＯＰニス層があるのにも拘わらず接着剤が付着してしまった。また最上層にＵＶニス層があっても、接着層と容器部のフランジ部との間にそのＵＶ層が介在しているサンプルｅでは接着強度が不足する。以上より、容器部のカップ部に対応する領域でのみＵＶニス層を上面に露出させれば、接着剤やインクが物品に付着せず、接着強度も確保できることが分かった。
【００２３】
＝＝＝製造工程について＝＝＝
上記表１にけるサンプルｅの試験結果より、接着層の上層の全面にＵＶニス層を設けると接着強度が不足することが分かった。そのためＵＶニス層を選択的に形成する場合、接着層がすでに形成されていると、ＵＶニスを塗布する工程でそのＵＶニスの飛沫が接着層上に付着するとその飛沫が付着した部分では接着強度が低下する可能性がある。そこで台紙本体上に各層を順次積層していく手順としては、台紙本体上に印刷層を形成した後にＵＶニス層を形成し、最後に接着層を形成することが望ましい。
【００２４】
＝＝＝印刷層のインクについて＝＝＝
上記第１および第２の実施例では、印刷層は紙の素材に印刷可能なインクを用いればどのようなものであってもよい。例えば、フレキソ印刷やオフセット印刷用の水性インクなどが考えられる。しかし実施例に係る台紙ではＵＶニス層を容器部におけるカップ部の形成領域に選択的に形成することに特徴を有している。そして周知のＵＶインクも紙媒体への印刷用途に広く使用されており、第２の実施例では印刷層の直上にＵＶニス層を設けていることから、ＵＶニスを透明色のＵＶインクとして扱えば、印刷層とＵＶニス層を連続して形成することが可能となる。
【００２５】
すなわち複数のＵＶインクを用いて多色印刷が可能な印刷装置を用い、その複数のＵＶインク中の１色分をＵＶニスにすれば印刷層の図案などを印刷する工程でＵＶニスも塗布できる。そして１回の紫外線照射工程でＵＶインクとＵＶニスを同時に硬化させて印刷層とＵＶニス層を同時に形成することができる。それによって台紙の製造コストを低減させることが可能となる。なお第２の実施例に係る台紙において、印刷層をＵＶインクを用いて形成したところ、接着剤やインクの付着、あるいは接着強度不足などの不良は見られなかった。
【符号の説明】
【００２６】
１，１ａ〜１ｇ  ブリスターパック、１０，１０ａ〜１０ｇ  台紙、
１１  台紙のおもて（上）面、１４  台紙本体、１５  印刷層、１６  接着層、
１７  ＵＶニス層、１８  ＯＰニス層、２０  容器部、２１  カップ部、
２２  フランジ部、３０  物品（円筒形電池）
【図１】
0006568695.tif 000003
【図２】
0006568695.tif 000004
【図３】
0006568695.tif 000005
【図４】
0006568695.tif 000006
【図５】
0006568695.tif 000007